(57)【特許請求の範囲】
【請求項１】
複数の二つ折りされた方形のペーパータオルを、折り返し片の縁が隣接するペーパータオルの折り返し内面に位置するようにして互い違いに重なり合うように積層した、略直六面体形状のペーパータオル束を内部に収納するケース本体と、このケース本体に設けられたペーパータオルを引き出すための取出口と、前記ケース本体を卓上型とする台座部と、を有する卓上型ペーパータオル用ディスペンサーにおいて、
前記ケース本体の前面部分を構成する前板部が、水平面に対して４５〜７５°前傾に傾斜され、
ケース本体内部の前記ペーパータオル束の折り返し縁が並ぶ面が載置される載置面が、背面側から前面側に向って水平面に対して２５〜４５°下り傾斜され、
前記取出口が、前板部の幅方向に沿って細長に設けられ、
その取出口の両端側から中央側に向かうように一対の突起部が、前記ケース本体内の前板部側に設けられ、
その突起部は、ケース本体の背面側から前板側に向かって突出長さが漸次長くなるように迫り出し、かつ、前板部側端部が中央側に向って突出し、
かつ、前記突起部と前板部内面との間が３〜１０ｍｍ離間している、
ことを特徴とする卓上型ペーパータオル用ディスペンサー。
【請求項２】
前記突起部は、取出口の幅よりも厚さが薄く、取出口の幅の中央部に位置するように設けられている請求項１記載の卓上型ペーパータオル用ディスペンサー。
【発明の詳細な説明】
【技術分野】
【０００１】
本発明は、ペーパータオルを折り畳み積層した束を収納し、取出口から１枚ずつ取り出すペーパータオルディスペンサーに関し、特に卓上型のペーパータオル用ディスペンサーに関する。
【背景技術】
【０００２】
キッチンペーパー、清拭用ワイプ等の所謂ペーパータオルと称されるもののディスペンサーの多くは、束を収納する本体の背面を適宜の手段により壁に対面させて設置し、底部に設けた取出口からペーパータオルを引き出して使用する形態であるが（特許文献１〜３等）、中には据え置き型、卓上型のものも知られる（特許文献４〜５等）。
【０００３】
特許文献１〜３に示されるような本体の背面を介して壁に設置するタイプのディスペンサーは、比較的大型であり設置態様も限定されることから、設置スペースや設置場所を確保することが困難な飲食店、惣菜店、スーパーマーケットの厨房や一般家庭で使用するには不向きであり、そのような処では、引用文献４、５に示す据え置き型の物が適する。
【０００４】
しかし、引用文献４のような上面に取出口を有する構造のディスペンサーは、濡れた手でペーパータオルを引き出す際に、内部の束を汚染するおそれがあり、また、上面の取出口から埃、塵が内部に侵入するおそれがある。
【０００５】
引用文献５に示される構造のディスペンサーは、取出口が下方に向っているため取出口から水や埃が進入することが防止されており、上記束の汚染や塵等の侵入に関して優れる。しかし、この引用文献５に示される種の従来ディスペンサーは、取出口のある前板内面と束との摩擦を利用して束から一枚ずつペーパータオルを分離するようにしていることから、内部のペーパータオルの枚数が多い場合には前板部内面にかかる束の加重が高く、ペーパータオルを引き出す際に強い力を要し、その際にペーパータオルに皺が入ったり、破れたり過度の力が必要であったりとスムーズな引出しを阻害することがある。また、図８に示すように、露出する一枚を強く引っ張った際や内部のペーパータオル１０１の枚数が少なくなった際に取出口１１６から、露出する一枚１０１Ｐを引き出した際に後続の一枚のペーパータオル１０１Ｐ’までも引き出されてしまうことがあった。
【０００６】
さらに、引用文献５に示される種の従来構造のディスペンサーは、図９に示すように、内部に収納されたペーパータオル１０１の枚数が特に少なくなってきた際に、ペーパータオル束１０１がディスペンサーＸ１００のケース本体１１０内において点線Ｚで示すように前板内面１１１Ａ及び載置面１１２Ａに沿って滑り落ち折れ曲がって下部に溜まり、取出口１１６から露出されるべきペーパータオルの一部までもが本体内部に落ち込んでしまい、引出し操作を行なうことが困難になることがあった。
【先行技術文献】
【特許文献】
【０００７】
【特許文献１】特開平０６−１４４４４８号公報
【特許文献２】特開２００６−２０４４０４号公報
【特許文献３】特開２００１−８７１６１号公報
【特許文献４】特開２００７−１５３４３９号公報
【特許文献５】特開２０１０−７６８１１号公報
【発明の概要】
【発明が解決しようとする課題】
【０００８】
そこで、本発明の主たる課題は、ペーパータオルの引き出し性やペーパータオル束のケース本体内への落ち込み等の問題を改善した、衛生的で使用しやすい卓上型ペーパータオル用ディスペンサーを提供することにある。
【課題を解決するための手段】
【０００９】
上記課題を解決した本発明は次記のとおりである。
＜請求項１記載の発明＞
複数の二つ折りされた方形のペーパータオルを、折り返し片の縁が隣接するペーパータオルの折り返し内面に位置するようにして互い違いに重なり合うように積層した、略直六面体形状のペーパータオル束を内部に収納するケース本体と、このケース本体に設けられたペーパータオルを引き出すための取出口と、前記ケース本体を卓上型とする台座部と、を有する卓上型ペーパータオル用ディスペンサーにおいて、
前記ケース本体の前面部分を構成する前板部が、水平面に対して４５〜７５°前傾に傾斜され、
ケース本体内部の前記ペーパータオル束の折り返し縁が並ぶ面が載置される載置面が、背面側から前面側に向って水平面に対して２５〜４５°下り傾斜され、
前記取出口が、前板部の幅方向に沿って細長に設けられ、
その取出口の両端側から中央側に向かうように一対の突起部が、前記ケース本体内の前板部側に設けられ、
その突起部は、ケース本体の背面側から前板側に向かって突出長さが漸次長くなるように迫り出し、かつ、前板部側端部が中央側に向って突出し、
かつ、前記突起部と前板部内面との間が３〜１０ｍｍ離間している、
ことを特徴とする卓上型ペーパータオル用ディスペンサー。
【００１０】
【００１１】
＜請求項２記載の発明＞
前記突起部は、取出口の幅よりも厚さが薄く、取出口の幅の中央部に位置するように設けられている請求項１記載の卓上型ペーパータオル用ディスペンサー。
【００１２】
【００１３】
（作用効果）
本発明では、ケース本体を台座部によって支持する卓上型としたので設置態様、設置位置の制限がない。また、取出口を有するケース本体及び台座部の比較的簡易な構造とすることができ、省スペース化が可能である。また、本発明では、ケース本体の前面を構成する前板部を前傾として、そこに取出口を設けたため、取出口が手前側斜め下方に向って開口することになり、もって取出口から埃や塵が入り難い。また、本発明では、取出口が手前側斜め下方に向いているため、そこから露出されたペーパータオルの一部が、下方に垂れ下がる態様となる。したがって、手でペーパータオルを引き出す操作を行なう際には、取出口より下方からペーパータオルを掴むことになるため、濡れたり汚れたりした手でペーパータオルを引き出す操作を行なっても、手に付着した水や汚れが落下して取出口からケース本体に進入することがなくなり、ケース本体内のペーパータオル束を水や汚れで汚染することがなく、衛生的に使用できる。
【００１４】
さらに、本発明では、ケース本体内部のペーパータオル束の折り返し縁が並ぶ面が載置される載置面を背面側から前面側に向って下り傾斜させて、ペーパータオル束の引出し側面が前記前板部の内面に当接するようにしたので、取出口からペーパータオルを引き出す際に、ペーパータオル束が前記傾斜面に沿って前板部側に引き寄せられやすく、ケース本体の背面側に位置するペーパータオル束末部のペーパータオルまで良好に引出し操作が行いやすい。
【００１５】
ここで、単に上記載置面及び前板部の構成を採った場合には、ペーパータオル束が前板部内面全体に凭れかかることになり、ケース本体内のペーパータオルの枚数が多い際や強くペーパータオルを引き出した際に、前記前板部内面との摩擦が高く、ペーパータオルに皺が入ったり、破れたり過度の力が必要であったりとスムーズな引出しを阻害することがあるが、本発明では、取出口を前板部に幅方向に沿って細長に設けるとともに、その取出口の両端側から中央側に向かうように一対の突起部を前記ケース本体内の前板部側に設けたため、ペーパータオル束が突起部で支持されることになり、もってペーパータオルの引出し抵抗が小さくなり、スムーズな引出しが可能となる。
【００１６】
その一方、従来技術のように単に上記載置面及び前板部の構成を採った場合には、ペーパータオルの使用が進むにしたがって、ケース本体内部に収納されているペーパータオル束の厚み（前後方向）が少なくなってきた際に、ペーパータオルが一枚ずつではなく複数枚一度に取出口から引き出されやすくなることがある。本発明では、取出口を前板部に幅方向に沿って細長に設けるとともに、その取出口の両端側から中央側に向かうように一対の突起部を前記ケース本体内の前板部側に設けたため、取出口から露出するペーパータオルの一枚を摘んで引っ張った際に、束から取出口に向かうペーパータオルが突起部を迂回して取出口に向かうようになるため、その迂回の過程とその過程での突起部との摺れによって、先行するペーパータオルと後続のペーパータオルとの分離が良好に行なわれ、後続のペーパータオルが先行の摘んで引っ張られているペーパータオルに過度につられて取出口から引き出されてしまうことがなくなる。
【００１７】
また、ケース本体内部に収納されているペーパータオル束の厚み（前後方向）が少なくなってくると、載置面に対するペーパータオル束の自立が困難となり、ケース本体内で束が折れ曲がり前板部内面に沿って載置面側にずり落ちる可能性があるが、本発明ではケース本体の取出口の各端一対に突起部があるため、厚みの少なくなったペーパータオル束の上方が前記突起部上に凭れるようになり、厚みの少なくなった束が前板部内面に沿ってずり落ち難い。
【００１８】
特に、本発明においては、前記突起部と前板部内面との間が離間させると、束とペーパータオルとの分離が良好になり、複数枚が一度に取出口から引き出されてしまうおそれが格段に小さくなる。
【００１９】
また、本発明において、上記突起部を取出口の幅よりも厚さが薄く、取出口の幅の中央部に位置するように設けると、ペーパータオルの引出し性がより向上する。
【００２０】
さらに、本発明において、突起部の形状を、ケース本体の背面側から前板側に向かって突出長さが漸次長くなるように迫り出し、かつ、前板部側端部は中央側に向って突出するようにすると、ペーパータオル束の前板部側が取出口に向かって湾曲するようになるため、ペーパータオル束の自立性が高まり、もって、ケース本体内部に収納されているペーパータオル束の厚み（前後方向）が少なくなってきても束がずり落ちることがなくなる。
【発明の効果】
【００２１】
以上のとおり、本発明によれば、省スペースとすることができ、引き出し性やペーパータオル束のケース本体内への落ち込み等の問題を改善した、衛生的で使用しやすい卓上型ペーパータオル用ディスペンサーが提供される。
【図面の簡単な説明】
【００２２】
【図１】本発明に係る卓上型ペーパータオル用ディスペンサーの斜視図である。
【図２】本発明に係る卓上型ペーパータオル用ディスペンサーの正面図である。
【図３】図２のＡ−Ａ断面図である。
【図４】前板部に直行する方向（図１のＡ方向）から見たケース本体の図である。
【図５】図４のＢ−Ｂ断面図である。
【図６】本発明に係る卓上型ペーパータオル用ディスペンサーの突起部を説明するための図である。
【図７】本発明に係る卓上型ペーパータオル用ディスペンサーの台座部の例を示す斜視図である。
【図８】従来のディスペンサーを示す断面図である。
【図９】従来のディスペンサーの他の態様を示す断面図である。
【発明を実施するための形態】
【００２３】
次いで、本発明の実施の形態を図１〜７を参照しながら以下に詳述する。
本発明にかかるディスペンサーＸ１は、ペーパータオル束１を収納するケース本体１０を台座部２０により所定高さに支持し、キッチン台、洗面台、手洗い場台、作業台、床などに載置して使用する据え置き型、卓上型のペーパータオル用ディスペンサーである。
【００２４】
本発明の卓上型ペーパータオル用ディスペンサーＸ１（以下、単にディスペンサーＸ１ともいう）が対象とするペーパータオル束１は、坪量２０〜６０ｇ／ｍ2程度の複数の方形のペーパータオルを実質的に二つ折りにし、各折り返し片の縁を上下に隣接するペーパータオルの折り返し内面に位置するようにして互い違いに重なり合うように積層し、積層最上部又は積層最下部の一枚の折り返し片を引っ張ると、ペーパータオルが有する紙特有の摩擦等によって、隣接するペーパータオルの折り返し片がつられて引きだされるようにしたものである。このペーパータオル束１はインターフォルダと称される折り機によって一般的に製造され、積層に伴う若干のずれはあるものの概ね直方体形状をなす。なお、本発明においては、上記ペーパータオルが引き出されていくことになるペーパータオル束１（以下、単に束ともいう）の積層最上面或いは積層最下面の何れかの面を引出し側面１Ａと称する。
【００２５】
図示例のディスペンサーＸ１は、ケース本体１０が、前板部１１、底板部１２、背板部１３、側板部１４及び天板部１５とで構成され、束１の大きさよりもやや大きい直方体の内部空間１０Ａを有し、外観も概ね直六面体形状の箱形形状をなす。なお、本発明のディスペンサーＸ１は、図示例の外観に限定されず適宜の意匠とすることができる。但し、省スペース化の点で、上記のケース本体１０の構成が望ましく、以下、上述の各板部で構成される内部空間が直方体形状、外観が概ね直六面体形状とされているケース本体１０を基本に説明する。
【００２６】
本形態のディスペンサーＸ１は、上記構成のケース本体１０が、その前面を構成し取出口１６を有する前板部１１が前方に向って傾斜するようにして所定高さで台座部２０に固定され、それに応じて底板部１２が背板部側から前板部側に向って下り傾斜され、もって、前記底板部内面１２Ａがケース本体内部に背面側から前面側に向って下り傾斜する束１の載置面１２Ａとされ、前板部内面が束１の引出し側面が対面するようになっている。
【００２７】
ケース本体１０が所定高さで台座部２０に固定されているために、ペーパータオルを斜め下に引き出す空間を確保することができ、引き出しやすく、かつ、ディスペンサーは引き出しの抵抗力によって倒されることがない。
【００２８】
前記前板部１１は、一般的な束１の幅が２１０〜２３０ｍｍ程度、高さ方向の長さが７０〜１２０ｍｍ程度であることから、幅Ｌ１が２１０〜２７０ｍｍ程度、高さ方向の長さＬ２が７０〜１３０ｍｍ程度であり、その高さ方向の中央部に、幅方向に延在する細長状に開口するペーパータオルの取出口１６が設けられている。
【００２９】
取出口１６の長さは引き出されるペーパータオル幅の９０〜１２０％程度の長さとされ、図示例では、前記前板部１１の幅方向のほぼ全幅に渡って設けられている。なお、９０％未満であるとペーパータオルの引き出し時に取出口１６の両端部とペーパータオルが過度に摺れてスムーズな引き出しが行えなくなるおそれがある。また、１２０％を超えると、引出すときにペーパータオルが左右に振られ、取出しにくくなる。
【００３０】
取出口１６の幅Ｌ３は、１５〜３０ｍｍ程度であり、この幅Ｌ３が過度に狭かったり広かったりすると、引き出し抵抗が高くなったり、複数枚が一度に引き出されることがあり、本発明の所望の効果が得られない場合がある。なお、本発明における取出口１６の幅Ｌ３とは図中の符号Ｌ３で示す開口幅をいい、ケース本体１０或いは前板部１１の幅と直行する方向であり意味を異にする。
【００３１】
また、取出口１６の下縁１６Ａから載置面１２Ａまでの距離は３０〜５０ｍｍとするのがよい。載置面１２Ａに束１を載置した際に取出口近傍に束１を構成するペーパータオルの折り返し片を位置させやすくなる。
【００３２】
さらに、図示例では、好ましく取出口１６の幅方向中央部が幅広に形成されており、ペーパータオルの露出部分の中央部を摘みやすくしている。なお、幅広部分１８の形状は、図示例では略楕円形になっているがこの形状に限らず例えば、矩形、円形等適宜の形状とすることができる。
【００３３】
他方、ケース本体１０を構成する前記背板部１３は、前記前板部１１との間に束１が介在可能な適宜の間隔を空けて位置され、その間隔は、市販の一般的な束１の厚さ（高さ）を考慮すれば８０〜１５０ｍｍ程度である。なお、図示例では、ケース本体１０が直六面体形状であるため背板部１３は前板部１１と平行、すなわち傾斜しているが、背板部１３は、必ずしも傾斜している必要はなく、例えば、背板部１３が、垂直又は前板部１１よりも垂直に近い傾斜としてもよい。また、図示例のディスペンサーＸ１では、背板部１３は底板部１２に対してヒンジ部１９を介してヒンジ接続されており、背板部１３が開閉自在な蓋体とされ、前記背板部１３を開くことでケース本体内へ束１を納めるようにしている。但し、背板部１３ではなく、天板部１５、側板部１４を開閉自在な蓋部とするようにしてもよい。ヒンジ部１９は、蝶番等の既知の技術により達成すればよく、本発明において特に限定されない。
【００３４】
前記天板部１５は、前記底板部１２との間に束１が介在可能な適宜の間隔を空けて位置される。図示例では、好ましく、天板部内面１５Ａと載置面１２Ａとが平行をなし、それらの間が束１の折り返し縁１Ｂ，１Ｃ間の長さとほぼ同等の間隔となっており、載置面１２Ａと天板部内面１５Ａとの間における束１の移動を規制するように構成している。かかる載置面１２Ａと天板部内面１５Ａとの関係とすることで、束１の上下方向の自由な移動が規制され、ケース本体内で束１が崩れたり、意図せず倒れたりし難くなる。
【００３５】
他方、前記側板部１４は、前板部１１と背板部１２の側部間に介在し、所定の間隔で配置されてケース本体内部に収めた束１の幅方向への移動を規制して、取出口１６からのスムーズなペーパータオルの取り出しに寄与するとともに、汚液・埃・塵などの汚れから束１を保護する。図示の形態においては、直六面体形状の外観としているため側板部１４は、前板部１１及び背板部１３の側縁から一体的に配置されているが、ケース本体は、もちろんこの形態に限定されない。束１を収納可能な内部空間１０Ａを確保できる範囲で、意匠等を考慮して適宜に構成することができる。一般的なペーパータオルを用いるのであれば、側板部間を２１０〜２３０ｍｍとしてケース幅方向の内寸Ｌ５を確保すればよい。
【００３６】
ここで、本発明に係るディスペンサーＸ１は、図４及び図５から理解されるように、特徴的に、ケース本体１０の内部空間の前板部側に、前記取出口１６の両端側から幅方向の中央側に向かうようにして一対の突起部５０，５０が設けられている。本形態では、前記突起部５０，５０は、各側板部１４，１４の前板部側近傍に突出する態様で設けているが、必ずしも側板部１４，１４に設けなくてもよい。
【００３７】
本形態のディスペンサーＸ１は、上記底面内面である載置面１２Ａに、束１の折り返し縁が並ぶ面１Ａを載置し、その傾斜を利用して束１の引出し側面１Ａが前記突起部に凭れるようにして当接させ、引出し側面１Ａから前記取出口１６を介してペーパータオルの一部をケース本体外へ露出させる。そして、ペーパータオルの引き出しは、前記取出口１６から露出する前記ペーパータオルの一枚を摘み、上方、下方、前方又は前板部１１に対して直行する方向に引き出す操作により行なう。
【００３８】
したがって、上記突起部５０，５０を設けることで、図５に示されるように、ペーパータオルを取出口１６から引き出す際に、束１の幅方向両端面の引出し側面１Ａ近傍が突起部５０，５０によって支持されて、当該引出し側面１Ａの幅方向中央部が前板部１１方向にやや膨出するようになる。これは載置面視で円弧状を描くようになるため束１の自立性が高まる。
【００３９】
突出部は単なる突起状としてもよいが、特に、本形態では、好ましく図５及び図６に示されるように、突起部５０，５０が、前記背板部１３側から前板部１１側に向かって突出長さが漸次長くなるように迫り出し、かつ、前板部側端部は幅方向の中央側に向って突出する形状とされている。この形状とすると前記迫り出し部分５１によって円弧状の撓みがより形成されやすく束１の自立性が高まり、突出部５２との低い摩擦により引き出し性の向上の効果が高まる。
【００４０】
また、本形態では、前記突起部５０，５０と前板部内面１１Ａとの間を離間させて設けている。このように離間させることで、取出口１６から引き出されるペーパータオルと後続のペーパータオルとの分離が良好となり、弱い力でスムーズにペーパータオルを引き出すことができ、しかも、一度に複数枚が取出口から引き出されることが効果的に防止される。
【００４１】
また、前記突起部５０，５０は、好ましくは取出口１６の幅Ｌ３よりも厚さが薄く、取出口１６の幅Ｌ３の中央部に位置するように設けるのがよい。上述のとおり引き出し側面１Ａから引き出されたペーパータオルが突起部５０，５０を迂回して取出口１６に導かれるため、取出口１６の幅Ｌ３よりも厚さを薄くすることで、上記迂回時に突起部５０，５０や取出口１６の縁とペーパータオルが過度に摺れることなくスムーズに弱い力で引き出すことができ、また、取出口１６の幅Ｌ３の中央部に位置させることで、複数枚が一度に取出口１６から排紙されることが効果的に防止される。
【００４２】
さらに、上記一般的な束１の大きさ（幅２１０〜２３０ｍｍ）に用いるディスペンサーとすべく、ケース本体１０の幅方向の内寸Ｌ５を２１０〜２４０ｍｍとした場合における突起部５０の好ましい具体的な大きさを図５を参照しながら説明すれば、まず、迫り出し角∠Ｘは、２５〜３５°が望ましい。この∠Ｘの角度であると束１の中央部が適度に撓みやすくなる。なお、この∠Ｘの角度が鈍角になりすぎると、撓み量が大きくなりすぎて引き出しのスムーズさが低下する。
【００４３】
また、幅方向中央部へ突出する部分５２の突出長Ｌ６は、６〜１２ｍｍ程度であるのがよい。短すぎると突起部間が広くなり、２１０〜２３０ｍｍ幅のペーパータオルが引っかからず、長すぎると引き出し時におけるペーパータオルとの摩擦が高まりスムーズに引き出せないことがある、また、幅方向の長さＬ７は１５〜２１ｍｍ、前後方向の長さＬ８（前板部側から背板部側に向かう方向の長さ）が２０〜３０ｍｍ、厚さＬ８（載置面と天面との間の方向長さ）が５〜１５ｍｍ程度である。また、突起部５０と前板部内面１１Ａとの間の距離Ｌ１０は、３〜１０ｍｍであるのが望ましい。突起部５０と前板部内面１１Ａが近すぎると、束１から引き出されたペーパータオルが取出口１６へスムーズに移行し難く、引き出しの際の力を低減する効果が小さくなる、また、反対に前板部内面１１Ａと突起物５０とが遠すぎると、過度に束が撓んだり、ペーパータオルの先端が取出口１６から露出されずにケース本体１０内に落ち込むおそれが高まる。
【００４４】
他方、ここで、本発明における「傾斜」、「角度」は、図３に示すように、台座部２０を介して水平面上にディスペンサーＸ１を載置したときを基準としている。ここで前記前板部１１の好適な傾斜具合は、台座部２０を介してディスペンサーＸ１を水平面上に載置したときに、前記前板部１１の傾斜角∠Ａが水平面に対して４５〜７５度となるように構成するのがよい。また、前記載置面１２Ａの傾斜角∠Ｂは、２５〜４５度であるのがよい。前板部１１の傾斜角∠Ａが４５度未満となるとペーパータオルを掴み難く作業台などの載置面に手がつきやすくなり、効果的にペーパータオルを引出し難くなり、７５度を超えてくると束１の引出し側面１Ａが突起部に凭れ難くなる。
【００４５】
また、載置面１２Ａの傾斜角∠Ｂが２０度未満であると取出口１６からのペーパータオルの引出しに伴う束１の載置面１２Ａに沿った前板部側へ移動がし難くなり、ペーパータオルのスムーズな引出しが阻害されるおそれがある。また、束１の厚みが減少した際に、突起部に凭れずにケース本体内部で束１が前倒しになってしまうおそれがある。
【００４６】
なお、ケース本体１０の素材については、特に限定されないが、アクリル樹脂、ユリア樹脂、ＡＢＳ樹脂、ポリプロピレン樹脂等の合成樹脂素材、ステンレス材やアルミ材等の金属素材、段ボール紙やコートボール紙等の紙素材、木材等適宜の素材を選択することができる。特に好ましくは、耐水性、成型性に優れる合成樹脂素材である。前板部１１、底板部１２、側板部１４、天板部１５を透明なＡＢＳ樹脂やＡＳ樹脂により一体成型し、ケース本体１０の一部を透明として視認可能とすると、ケース本体内における束１の状況が理解でき、束１の適切な補充時期を確認することができる。特に、束１の前記載置面側と反対側の折り返し縁が並ぶ面に対面する部分（本形態では天板部１５）と、束１の折り返し縁が並ぶ面１Ｂ，１Ｃと引出し側面１Ａとに連接する側面に対面する部分（本形態では側板部１４，１４）を透明にすると、ケース本体内１０における束１の状況が理解しやすく望ましい。その他、各板部に円形、矩形或いは適宜の幾何学的模様は適宜デザインの透明な窓部を設けたりした態様としてもよい。ケース本体１０は、内部の視認性や意匠性などをも考慮して適宜の構成をとることができる。
【００４７】
他方、本形態のディスペンサーＸ１を構成する台座部２０は、ケース本体１０を特に前板部１１の傾斜を維持した状態で所定高さに支持するとともに作業台等の任意の面に載置可能にするためのものである。その形状は、特に限定はされない。但し、本ディスペンサーＸ１では、露出するペーパータオルの一部を取出口１６の下方から掴む操作態様となるため、上記取出口１６の高さＬ４が台座部２０に設置した状態で９０〜１２０ｍｍの高さとなるようにケース本体１０を支持する形状とするのが望ましい。９０〜１２０ｍｍの高さがあれば、取出口の下方に手を挿入するだけの十分な空間が確保できる。
【００４８】
図示例の台座部２０は、下縁を設置部として平行に配置した二枚の台座側板２１，２１と、台座側板間を繋ぐ背面板２２と、ケース本体１０の底板部１２が載置される支持板２３とで構成し、ペーパータオルの引出しをしやすくすべくケース本体１０の前方側下部領域が広く開放されるように底面視、略コ字状に形成されている。この台座部２０に対してケース本体１０が底板部１２を介してその支持板２３上に載置されるとともに、前記台座側板間に挟持される形で固定される。なお、ケース本体１０を台座部２０に固定するには、接着剤や既知の係止構造など適宜固定手段を採ることができる。
【００４９】
他方、台座部２０は、ディスペンサー全体の重心を低い位置にし、設置箇所に置いた際の安定性を高めるべく、ケース本体よりも質量を重くするのが望ましい。
【００５０】
なお、台座部２０の素材は特に限定されないが、上記のとおり台座部２０はある程度の重量があるのが望ましいことから、金属素材等とするまたは錘となる金属を設置するのが望ましい。なお、台座部２０の下面には、例えば、ゴム素材、磁石などからなる適宜の滑り止め機構や固定機構を設けてもよい。
【試験例】
【００５１】
本発明に係るディスペンサーにおける突起部５０と前板部内面１１Ａとの間の好適な離間距離に関して試験を行い検討した結果を示す。
外観、内部空間ともに直六面体形状をなすケース本体を、前板部が水平面に対して４５°の角度をなすように台座部に取り付けた試験用ディスペンサーを作成し、そのケース本体内に坪量３７ｇ／ｍ2、紙厚１７０μｍ、プライ数１プライ、寸法１７０ｍｍ×幅２２０ｍｍのペーパータオルを束にした製品（エルヴェール  ペーパータオルエコシングル２００枚、小判）から１００枚の束を取出して収納する。
取出口の幅は２２５ｍｍとし、長さは２３ｍｍとした。
突起部は、側板部から突出するようにして取出口の幅方向中央に位置するように設けた。また、迫り出し角が３０度、前後方向長さが６ｍｍ、幅が１５ｍｍ、突出部の長さが２０ｍｍ、厚さが８ｍｍの形状とした。
以上の条件のもと突起部と前板部内面との間の距離を３ｍｍ、５ｍｍ、１０ｍｍ、１３ｍｍ、１５ｍｍと変化させ、それぞれの距離においてペーパータオルを取出口から引き出す際の力を測定した。測定は、取出口から露出するペーパータオルの幅方向中央にクリップ（ＫＯＫＵＹＯ社製クリ３３）を介してプッシュプルゲージ（株式会社イマダ社製  ＯＰＳ２０）を接続し、床と水平面と平行に引っ張る操作をしてペーパータオルをケース本体から完全に引き出すようにして行なった。測定値は５回（５枚）の平均値とした。また、参考までに突起部を設けない場合においても同様に測定した。
結果は、３ｍｍ（２５．６ｋｇｆ）５ｍｍ（１９．６ｋｇｆ）、１０ｍｍ（２４．８ｋｇｆ）、１３ｍｍ（３６．２ｋｇｆ）、１５ｍｍ（４４．８ｋｇｆ）、突起部なし（３１．４ｋｇｆ）であった。この結果から、概ね３ｍｍ〜１０ｍｍの離間距離の場合に、引き出し性が良好であることが知見された。
【符号の説明】
【００５２】
Ｘ１…卓上型ロールペーパータオル用ディスペンサー、１…ペーパータオル束、１Ａ…ペーパータオル束の引出し側面、１Ｂ…折り返し縁が並ぶ面であって載置面に接する側の面、１Ｃ…折り返し縁が並ぶ面であって載置面に接しない側の面、１０…ケース本体、１０Ａ…ケース本体の内部空間、１１…前板部、１１Ａ…前板部内面、１２…底板部、１２Ａ…底板部内面（載置面）、１３…背板部、１４…側板部、１５…天板部、１５Ａ…天板部内面、１６…取出口、１６Ａ…取出口の下縁、１８…幅広部分、１９…ヒンジ部、２０…台座部、２１…台座側板、２２…背面板、５０…突起部、５１…突起部の迫り出し部分、５２…突起部の突出部分、Ｌ１…前板部の幅、Ｌ２…前板部の高さ方向長さ、Ｌ３…取出口の幅、Ｌ４…取出口の高さ、Ｌ５…ケース本体の内寸、Ｌ６…突出部分の突出長、Ｌ７…突起部の幅方向の長さ、Ｌ８…突起部の前後方向長さ、Ｌ９…突起部の厚さ、Ｌ１０…突起部と前板部内面との間の距離、∠Ａ…前板部の傾斜角、∠Ｂ…載置面の傾斜角、∠Ｘ…迫り出し角。
【図１】
0005931435.tif 000002
【図２】
0005931435.tif 000003
【図３】
0005931435.tif 000004
【図４】
0005931435.tif 000005
【図５】
0005931435.tif 000006
【図６】
0005931435.tif 000007
【図７】
0005931435.tif 000008
【図８】
0005931435.tif 000009
【図９】
0005931435.tif 000010